(57)【要約】      （修正有）【課題】薬液を毛髪や頭、顔の皮膚の必要とする場所へ適量塗布することができる。【解決手段】薬液を毛髪や頭皮に塗布する塗布部１０と、塗布部１０に供給する薬液を貯留する薬液貯蔵部２０を有する薬液塗布用具１であり、塗布部１０は、薬液貯蔵部２０に連通し薬液を吐出させる吐出通路１１と、押し上げにより移動して吐出通路１１を開き薬液を吐出させる導き機能を有する中棒部材１２と、中棒部材１２を吐出通路１１を閉じ方向に付勢し、押し上げ力に対して負荷を与える付勢手段１３と、を有し、中棒部材１２は、押し上げにより移動して吐出通路１１を開き薬液を吐出させ、押し上げによる中棒部材１２の移動に応じて薬液の吐出量を変化させる。【選択図】図２
2015015971.tif 000002
【特許請求の範囲】
【請求項１】
薬液を毛髪や頭皮に塗布する塗布部と、
前記塗布部に供給する薬液を貯留する薬液貯蔵部を有する薬液塗布用具であり、
前記塗布部は、
前記薬液貯蔵部に連通し薬液を吐出させる吐出通路と、
押し上げにより移動して前記吐出通路を開き薬液を吐出させる導き機能を有する中棒部材と、
前記中棒部材を前記吐出通路を閉じ方向に付勢し、押し上げ力に対して負荷を与える付勢手段と、を有し、
前記中棒部材は、
押し上げにより移動して前記吐出通路を開き薬液を吐出させ、
押し上げによる前記中棒部材の移動に応じて薬液の吐出量を変化させることを特徴とする薬液塗布用具。
【請求項２】
押し上げによる前記中棒部材の移動量の増加に応じて薬液の吐出量を増加させることを特徴とする請求項１に記載の薬液塗布用具。
【請求項３】
前記付勢手段は、前記中棒部材の押し上げ力に対して段階的に負荷を与えることを特徴とする請求項１または請求項２に記載の薬液塗布用具。
【請求項４】
前記中棒部材は、
前記吐出通路と連通して薬液を吐出させる孔部又は溝部を有することを特徴とする請求項１乃至請求項３のいずれか１項に記載の薬液塗布用具。
【請求項５】
前記中棒部材は、
中棒先端部に、吐出する薬液を一旦受ける液受け部を有することを特徴とする請求項１乃至請求項４のいずれか１項に記載の薬液塗布用具。
【請求項６】
前記中棒部材は、
薬液が浸み込むことが可能な材料で成形されることを特徴とする請求項１乃至請求項５のいずれか１項に記載の薬液塗布用具。
【請求項７】
前記塗布部は、
前記中棒部材の押し上げの移動量を調整する調整部材を有することを特徴とする請求項１乃至請求項６のいずれか１項に記載の薬液塗布用具。
【発明の詳細な説明】
【技術分野】
【０００１】
この発明は、育毛剤や整髪料、洗浄剤、化粧剤、美容剤等の薬液を貯留する薬液貯蔵部を有し、これらの薬液を毛髪や頭、顔の皮膚の必要とする場所へ定量塗布することのできる薬液塗布用具に関する。
【背景技術】
【０００２】
泡状整髪料等の薬液を、櫛又はブラシの内部に設けた薬液の貯蔵部から薬液誘導路を経て櫛歯又はブラシ面に噴出させて、櫛又はブラシから直接毛髪に塗布するようにしたものとしては、例えば実開昭６２−１２８４４３号公報、実開昭５７−１０３００３号公報又は実開昭５０−１２６４７８号公報に開示されている、噴泡ブラシ、整髪料の含浸ぐし又は頭髪用化粧料塗布具等がある。
【０００３】
また、特開平１０−３３２６５号公報に開示されるものがあり、このものは、ブラシの毛の先端に栓が設けられ、栓を棒状体として、ブラシで頭皮を叩いてマッサージする時に、栓が引っ込んで薬液が塗布される。さらに、頭髪への育毛剤や頭皮痛み保護のトニック液などの薬液を塗布する点滴用具があり、この点滴用具は瓶口元中栓の中心孔から薬液を頭髪や頭皮に手で振りかけている。また、特許第４７５３２３３号公報に開示されるものがあり、このものは、薬液を計量室で計量し、押込み棒を頭皮に押し当てたときのみ計量室の薬液を塗布する。
【先行技術文献】
【特許文献】
【０００４】
【特許文献１】実開昭６２−１２８４４３号公報
【特許文献２】実開昭５７−１０３００３号公報
【特許文献３】実開昭５０−１２６４７８号公報
【特許文献４】特開平１０−３３２６５号公報
【特許文献５】特許第４７５３２３３号公報
【発明の概要】
【発明が解決しようとする課題】
【０００５】
しかしながら、これら従来の櫛又はブラシでは、毛髪又は頭皮と接触する櫛歯又はブリッスルはいずれも吐出穴が櫛先端より根元の方に位置している。そのため、塗布液の大半が毛髪に塗布されて頭皮上で汚れや匂いの原因となる毛穴から排出される皮脂を除去し、毛穴に薬液を浸透させることが不十分であった。
【０００６】
また、栓を棒状体として、ブラシで頭皮を叩いてマッサージする時に、栓が引っ込んで薬液が塗布されるものでは、薬液を十分に塗布することができない。一方、点滴用具では、上から下に振って頭部寸前で自分で止めるために振られた反応に反動で頭部に当たり、怪我をしてしまう虞がある。また、振り方加減で薬液の出が大きくバラつき多く出しすぎると顔にまで流れて刺激が大きい薬液であるが故に顔皮膚を痛めてしまい、仮に少量だと何回も繰り返しを余技なくされ、頭皮の毛穴に薬液を浸透させることはできなかった。また、薬液を計量室で計量し、押込み棒を頭皮に押し当てたときのみ計量室の薬液を塗布するものは、計量された量しか塗布することができなかった。
【０００７】
この発明は、これら従来の櫛やブラシ、また点滴用具の問題点を解消し、薬液を毛髪や頭、顔の皮膚の必要とする場所へ適量塗布することができる薬液塗布用具を提供することを目的とするものである。
【課題を解決するための手段】
【０００８】
前記課題を解決し、かつ目的を達成するために、この発明は、以下のように構成した。
【０００９】
請求項１に記載の発明は、薬液を毛髪や頭皮に塗布する塗布部と、
前記塗布部に供給する薬液を貯留する薬液貯蔵部を有する薬液塗布用具であり、
前記塗布部は、
前記薬液貯蔵部に連通し薬液を吐出させる吐出通路と、
押し上げにより移動して前記吐出通路を開き薬液を吐出させる導き機能を有する中棒部材と、
前記中棒部材を前記吐出通路を閉じ方向に付勢し、押し上げ力に対して負荷を与える付勢手段と、を有し、
前記中棒部材は、
押し上げにより移動して前記吐出通路を開き薬液を吐出させ、
押し上げによる前記中棒部材の移動に応じて薬液の吐出量を変化させることを特徴とする薬液塗布用具である。
【００１０】
請求項２に記載の発明は、押し上げによる前記中棒部材の移動量の増加に応じて薬液の吐出量を増加させることを特徴とする請求項１に記載の薬液塗布用具である。
【００１１】
請求項３に記載の発明は、前記付勢手段は、前記中棒部材の押し上げ力に対して段階的に負荷を与えることを特徴とする請求項１または請求項２に記載の薬液塗布用具である。
【００１２】
請求項４に記載の発明は、前記中棒部材は、
前記吐出通路と連通して薬液を吐出させる孔部又は溝部を有することを特徴とする請求項１乃至請求項３のいずれか１項に記載の薬液塗布用具である。
【００１３】
請求項５に記載の発明は、前記中棒部材は、
中棒先端部に、吐出する薬液を一旦受ける液受け部を有することを特徴とする請求項１乃至請求項４のいずれか１項に記載の薬液塗布用具である。
【００１４】
請求項６に記載の発明は、前記中棒部材は、
薬液が浸み込むことが可能な材料で成形されることを特徴とする請求項１乃至請求項５のいずれか１項に記載の薬液塗布用具である。
【００１５】
請求項７に記載の発明は、前記塗布部は、
前記中棒部材の押し上げの移動量を調整する調整部材を有することを特徴とする請求項１乃至請求項６のいずれか１項に記載の薬液塗布用具である。
【発明の効果】
【００１６】
前記構成により、この発明は、以下のような効果を有する。
【００１７】
請求項１に記載の発明では、中棒部材は、押し上げにより移動して吐出通路を開き薬液を吐出させ、押し上げによる中棒部材の移動に応じて薬液の吐出量を変化させることで、毛髪や頭、顔の皮膚の必要とする場所へ薬液を適量塗布することができる。
【００１８】
請求項２に記載の発明では、押し上げによる中棒部材の移動量の増加に応じて薬液の吐出量を増加させることで、毛髪や頭、顔の皮膚の必要とする場所へ薬液を適量塗布することができる。
【００１９】
請求項３に記載の発明では、付勢手段は、中棒部材の押し上げ力に対して段階的に負荷を与えることで、頭皮に押し当てる力によって薬液の吐出量を知り、薬液を適量塗布することができる。
【００２０】
請求項４に記載の発明では、中棒部材の孔部又は溝部により、薬液を吐出させことで、簡単な構造で薬液を円滑に流れるようにして吐出させることができる。
【００２１】
請求項５に記載の発明では、中棒先端部の液受け部に吐出する薬液を一旦受け、受け皿によって薬液を一旦溜めて必要とする箇所に塗布することができる。
【００２２】
請求項６に記載の発明では、中棒部材が、薬液が浸み込むことが可能な材料で成形されており、薬液を毛髪、頭皮に円滑に塗布することができる。
【００２３】
請求項７に記載の発明では、中棒部材の移動量を調整部材により調節することで、薬液を吐出量を調節することができる。
【図面の簡単な説明】
【００２４】
【図１】第１の実施の形態の薬液塗布用具の斜視図である。
【図２】第１の実施の形態の塗布部の構成及び使用状態を示す図である。
【図３】第２の実施の形態の塗布部の構成及び使用状態を示す図である。
【図４】第３の実施の形態の塗布部の構成及び使用状態を示す図である。
【図５】第４の実施の形態の塗布部の構成及び使用状態を示す図である。
【図６】塗布部の他の実施の形態を示す図である。
【図７】第５の実施の形態の塗布部の構成を示す図である。
【図８】第５の実施の形態の使用状態を示す図である。
【図９】第６の実施の形態の塗布部の構成及び使用状態を示す図である。
【図１０】塗布部の他の実施の形態を示す図である。
【図１１】第７の実施の形態の塗布部の構成を示す図である。
【図１２】第８の実施の形態の塗布部の構成及び使用状態を示す図である。
【図１３】第８の実施の形態の塗布部の構成及び使用状態を示す図である。
【図１４】第９の実施の形態の塗布部の構成及び使用状態を示す図である。
【図１５】第１０の実施の形態の塗布部の構成及び使用状態を示す図である。
【図１６】第１１の実施の形態の塗布部の構成及び使用状態を示す図である。
【図１７】第１２の実施の形態の塗布部の構成及び使用状態を示す図である。
【図１８】第１３の実施の形態の塗布部の構成及び使用状態を示す図である。
【図１９】塗布部の他の実施の形態を示す図である。
【図２０】第１４の実施の形態の塗布部の構成及び使用状態を示す図である。
【図２１】第１５の実施の形態の塗布部を示す図である。
【図２２】第１６の実施の形態の塗布部を示す図である。
【図２３】第１７の実施の形態の塗布部を示す図である。
【図２４】第１８の実施の形態の薬液塗布用具を示す図である。
【図２５】第１９の実施の形態の薬液塗布用具を示す図である。
【発明を実施するための形態】
【００２５】
以下、この発明の薬液塗布用具の実施の形態について説明する。この発明の実施の形態は、発明の最も好ましい形態を示すものであり、この発明はこれに限定されない。
【００２６】
（第１の実施の形態）
この実施の形態の薬液塗布用具は、図１に示すように構成され、図１（ａ）はキャップを外した状態を示し、図１（ｂ）はキャップを閉じた状態を示す。この薬液塗布用具１は、塗布部１０、薬液貯蔵部２０を有し、この薬液貯蔵部２０に塗布部１０が螺着して取り付けられている。この塗布部１０には、キャップ３０が螺着して取り付けられている。塗布部１０は、薬液を毛髪や頭皮に直接塗布するように先細りに形成され、薬液としては育毛剤や整髪料、洗浄剤、化粧剤、美容剤等が用いられる。薬液貯蔵部２０は、薬液を貯留しており、塗布部１０と連通し薬液を供給する。この塗布部１０、薬液貯蔵部２０及びキャップ３０は、合成樹脂により形成されているが、ガラスで形成してもよい。また、この実施の形態では、塗布部１０が１個設けられているが、これに限らず複数個設けてもよい。
【００２７】
この実施の形態の塗布部は、図２に示すように構成され、図２（ａ）はキャップを閉じた状態を示し、図２（ｂ）はキャップを開いた状態を示す。この塗布部１０は、吐出通路１１、中棒部材１２及び付勢手段１３を有する。この吐出通路１１は、薬液貯蔵部２０に連通して形成され、塗布部１０の内壁１０ａに形成した内側通路１１ａと、塗布先端部１０ｂに形成した吐出側通路１１ｂから構成される。
【００２８】
この中棒部材１２は、樹脂で棒状に形成され、押し上げにより移動して吐出通路１１を開き薬液を吐出させる導き機能を有し、押し上げによる中棒部材１２の移動に応じて薬液の吐出量を変化させる。この実施の形態では、中棒部材１２は、弁部１２ａと鍔部１２ｂとを有し、弁部１２ａは内側通路１１ａを開閉する。付勢手段１３は、中棒部材１２を内側通路１１ａを閉じ方向に付勢し、中棒部材１２の押し上げ力に対して負荷を与える構成であり、この実施の形態ではバネ１３ａが用いられる。バネ１３ａは、一端部を鍔部１２ｂに固定し、他端部を内壁１０ａに固定して設けられ、中棒部材１２の中棒先端部１２ｃが塗布先端部１０ｂから突出し、かつ弁部１２ａが内側通路１１ａを閉じる方向へ常に付勢する。この実施の形態では、付勢手段１３をバネ１３ａで構成しているが、これに限定されず伸縮する樹脂を用いて構成してもよい。
【００２９】
この実施の形態の薬液塗布用具の使用について説明する。図２（ａ）のキャップを閉じた状態では、キャップ３０によって中棒先端部１２ｃが押し上げられているが、キャップ３０によって吐出側通路１１ｂが閉じられており、薬液は吐出しない。図２（ｂ）に示すように、キャップ３０を開くと、バネ１３ａが伸びて弁部１２ａが内側通路１１ａを閉じるために、薬液は吐出しない。そして、薬液塗布用具を頭部の上方に持ち上げて、図２（ｃ）に示すように、塗布部１０を下方に向けて中棒先端部１２ｃを頭部に押し付けて押すことで、バネ１３ａが縮み中棒部材１２は押し上げにより移動して弁部１２ａが内側通路１１ａを開き、薬液が内側通路１１ａを流下し、さらに吐出側通路１１ｂに流れ込み、中棒先端部１２ｃの周囲が案内となって薬液を定量吐出させることができる。さらに、図２（ｄ）に示すように、使用者が中棒先端部１２ｃを頭皮に押し当て、中棒部材１２を押し上げると、この押し上げによる中棒部材１２の移動に応じて弁部１２ａが内側通路１１ａをさらに開き、薬液が内側通路１１ａをさらに流下することで、薬液の吐出量を変化させることができる。
【００３０】
（第２の実施の形態）
この実施の形態の薬液塗布用具は、第１の実施の形態と同様に構成されるが、図３に示すように、第１の実施の形態のバネ１３ａに追加して負荷バネ１３ｂを設けている。この負荷バネ１３ｂは、一端部を鍔部１２ｂに固定し、他端部を自由端としている。この実施の形態では、付勢手段１３は、中棒部材１２の押し上げ力に対して２段階の負荷を与えるように構成しているが、これに限定されず３段階の負荷を与えるものでも、それ以上の段階的に負荷を与える構成でもよい。
【００３１】
この実施の形態では、図３（ｃ）に示すように、塗布部１０を下方に向けて中棒先端部１２ｃを頭部に押し付けて押すことで、バネ１３ａが縮み中棒部材１２は押し上げにより移動して弁部１２ａが内側通路１１ａを開き、薬液が内側通路１１ａを流下し、さらに吐出側通路１１ｂに流れ込み、中棒先端部１２ｃの周囲が案内となって薬液を定量吐出させることができるが、このときには、負荷バネ１３ｂの他端部は、内壁１０ａに当たらないでおり、負荷バネ１３ｂによる負荷は生じない。さらに、図３（ｄ）に示すように、使用者が中棒先端部１２ｃを頭皮に押し当て、中棒部材１２を押し上げると、この押し上げによる中棒部材１２の移動に応じて弁部１２ａが内側通路１１ａをさらに開き、薬液が内側通路１１ａをさらに流下することで、薬液の吐出量を変化させ、この押し上げによる中棒部材１２の移動量の増加に応じて薬液の吐出量を増加させることができるが、このとき、負荷バネ１３ｂの他端部が内壁１０ａに当たり、負荷バネ１３ｂによる負荷は生じるため、使用者は頭皮に押し当てる力によって、薬液の吐出量を増加させたことを感じながら塗布することができる。
【００３２】
（第３の実施の形態）
この実施の形態の薬液塗布用具は、第１の実施の形態と同様に構成されるが、図４に示すように、内壁１０ａに凹み部１０ａ１が形成されている。この凹み部１０ａ１には、中棒部材１２の弁部１２ａが位置することができるようになっており、弁部１２ａによって内側通路１１ａが開閉される。
【００３３】
この実施の形態では、図４（ｃ）に示すように、塗布部１０を下方に向けて中棒先端部１２ｃを頭部に押し付けて押すことで、バネ１３ａが縮み中棒部材１２は押し上げにより移動して弁部１２ａが内側通路１１ａを開き、薬液が凹み部１０ａ１から内側通路１１ａを流下し、さらに吐出側通路１１ｂに流れ込み、中棒先端部１２ｃの周囲が案内となって薬液を定量吐出させることができる。さらに、図４（ｄ）に示すように、使用者が中棒先端部１２ｃを頭皮に押し当て、中棒部材１２を押し上げ、弁部１２ａが凹み部１０ａ１の上方まで移動すると、薬液が凹み部１０ａ１から内側通路１１ａに流れ込み、塗布する動作を行うときに、中棒部材１２が微妙に押し下げられたり、押し上げられたりすると、弁部１２ａが凹み部１０ａ１に位置する薬液を内側通路１１ａからポンプ式に送り出すようになり、吐出側通路１１ａから吐出する薬液の吐出量を増加させることができる。
【００３４】
（第４の実施の形態）
この実施の形態の薬液塗布用具は、第１の実施の形態と同様に構成されるが、図５に示すように、中棒部材１２は、吐出通路１１と連通して薬液を吐出させる溝部１２ｄを有する。使用するときに、図５（ｃ），（ｄ）に示すように、塗布部１０を下方に向けて中棒先端部１２ｃを頭部に押し付けて押すことで、吐出通路１１から薬液が中棒部材１２の溝部１２ｄに流れ込み、この溝部１２ｄによって薬液を円滑に流れるようにして定量吐出させることができる。
【００３５】
この実施の形態の溝部１２ｄは、図６に示すように構成される。図６（ａ）乃至図６（ｆ）は中棒部材を先端側から見た図、図６（ｇ）及び図６（ｈ）は中棒部材を側方側から見た図である。図６（ａ）の実施の形態は、中棒部材１２の周囲に連続して軸方向に形成され、図６（ｂ）の実施の形態は、中棒部材１２の周囲に９０度の位置に軸方向に形成され、先端部で交差させ、図５（ｃ）の実施の形態は、中棒部材１２の横断面が十字状の溝になるように形成され、図５（ｄ）の実施の形態は、中棒部材１２の横断面が−字状の溝になるように形成され、図５（ｅ）の実施の形態は、中棒部材１２の横断面が十字状になるように形成され、図５（ｆ）の実施の形態は、中棒部材１２の横断面が多角形になるように形成される。また、図５（ｇ）の実施の形態は、螺旋状であり、図５（ｈ）の実施の形態は、螺旋状で、且つ交差する形状である。
【００３６】
（第５の実施の形態）
この実施の形態の薬液塗布用具は、図７に示すように構成され、図７（ａ）は塗布部に配置される中棒部材の孔部を示す断面図、図７（ｂ）は中棒部材の孔部に連通する切り欠き部を示す断面図、図７（ｃ）は中棒部材の斜視図である。この実施の形態は、中棒部材１２は、吐出通路１１を開閉する弁部１２ｅと、薬液を吐出させる孔部１２ｆと、ガイド軸部１２ｇを有する。
【００３７】
中棒部材１２は、押し上げ可能に設けられ、パッキン１８によってシールされている。孔部１２ｆには、切り欠き部１２ｈから薬液が流入する。ガイド軸部１２ｇは、中棒ガイド１５に移動可能に支持されている。この中棒ガイド１５には、薬液を流通させる連通孔１５ａが形成されている。
【００３８】
バネ１３ａは、一端部を中棒ガイド１５に固定し、他端部を弁部１２ｅに固定して設けられ、中棒部材１２の中棒先端部１２ｃが塗布先端部１０ｂから突出し、かつ弁部１２ｅがパッキン１８をシールし、吐出通路１１を閉じる方向へ常に付勢する。負荷バネ１３ｂは、一端部を中棒ガイド１５に固定し、他端部を自由端としている。
【００３９】
この実施の形態では、薬液塗布用具を使用しない場合には、図８（ａ）に示すように、キャップ３０が閉じており、薬液が漏れることはない。使用するために、図８（ｂ）に示すように、キャップ３０を開くと、バネ１３ａが伸びて弁部１２ｅがパッキン１８をシールし、切り欠き部１２ｈを閉じる。これにより吐出側通路１１を閉じることになり、薬液は吐出しない。そして、図８（ｃ）に示すように、薬液塗布用具１を頭部の上方に持ち上げて、塗布部１０を下方に向けて中棒先端部１２ｃを頭部に押し付けて押すことで、中棒部材１２は押し上げにより移動して弁部１２ｅが切り欠き部１２ｈの一部を開き、この部分から薬液が孔部１２ｆに流れ込み、孔部１２ｆから薬液を定量吐出させることができる。
【００４０】
さらに、図８（ｄ）に示すように、使用者が中棒先端部１２ｃを頭皮に押し当て、中棒部材１２を押し上げると、負荷バネ１３ｂの自由端の他端部が弁部１２ｅに当たり、この負荷バネ１３ｂが縮み中棒部材１２の押し上げ力に対して負荷がかかる。この負荷がかかる状態では、切り欠き部１２ｈが全開することによって薬液の吐出量が増加する。このように、押し上げによる中棒部材１２の移動量の増加に応じて薬液の吐出量を増加させる。
【００４１】
（第６の実施の形態）
この実施の形態の薬液塗布用具は、第２の実施の形態と同様に構成されるが、図９に示すように、中棒部材１２に孔部１２ｉが形成され、液流入側開口１２ｉ１から薬液が孔部１２ｉに流入し、孔部１２ｉの先端から吐出する。
【００４２】
この実施の形態では、薬液塗布用具を使用しない場合には、図９（ａ）に示すように、キャップ３０が閉じており、薬液が漏れることはない。使用するために、図９（ｂ）に示すように、キャップ３０を開くと、バネ１３ａが伸びて弁部１２ａが内側通路１１ａを閉じ、薬液は吐出しない。そして、図９（ｃ）に示すように、薬液塗布用具１を頭部の上方に持ち上げて、塗布部１０を下方に向けて中棒先端部１２ｃを頭部に押し付けて押すことで、中棒部材１２は押し上げにより移動して弁部１２ａが内側通路１１ａを開くため、薬液が内側通路１１ａから流下し、吐出側通路１１ｂから吐出するとともに、液流入側開口１２ｉ１の一部から薬液が孔部１２ｉに流入し、孔部１２ｉの先端から吐出する。
【００４３】
さらに、図９（ｄ）に示すように、使用者が中棒先端部１２ｃを頭皮に押し当て、中棒部材１２を押し上げると、負荷バネ１３ｂの自由端の他端部が弁部１２ｅに当たり、この負荷バネ１３ｂが縮み中棒部材１２の押し上げ力に対して負荷がかかる。この負荷がかかる状態では、薬液が内側通路１１ａから流下するとともに、中棒部材１２の液流入側開口１２ｉ１から薬液が孔部１２ｉに流れ込み、孔部１２ｉからも吐出し、薬液の吐出量を増加させたことを感じながら塗布することができる。
【００４４】
この実施の形態では、液流入側開口１２ｉ１が軸方向に長い長円形に形成されているが、複数個形成してもよい。また、孔部１２ｉの横断面形状は、図１０（ａ）の実施の形態では、真円形であり、図１０（ｂ）の実施の形態では、楕円形状であり、図１０（ｃ）の実施の形態では、星形形状であるが、これに限定されず種々の形状にすることができる。
【００４５】
（第７の実施の形態）
この実施の形態では、図１１に示すように、中棒部材１２の中棒先端部１２ｃに、吐出する薬液を一旦受ける液受け部１２ｋを有する。この中棒先端部１２ｃの液受け部１２ｋに吐出する薬液を一旦受け、液受け部１２ｋによって薬液を一旦溜めて必要とする箇所に塗布することができる。この液受け部１２ｋは、図１１（ａ）では、小径の先細り状であり、図１１（ｂ）では、半球状であり、図１１（ｃ）では、段部に連続した半球状であり、図１１（ｄ）では、段部に連続した大径棒状であり、図１１（ｅ）では、球状である。また、図１１（ｆ）及び図１１（ｇ）の実施の形態では、液受け部１２ｋが、スポンジ、多孔質、フェルトなど薬液が浸み込むことが可能な材料で種々の玉形状に形成され、この液受け部１２ｋに薬液を含ませて塗布することができる。さらに、図１１（ｈ）乃至図１１（ｋ）の実施の形態では、液受け部１２ｋが中棒先端部１２ｃより大きく形成されており、液受け部１２ｋによって薬液の流れが広がって塗布することができるようにしてもよい。
【００４６】
この実施の形態の中棒部材１２は、樹脂で成形されたものでも、薬液が浸み込むことが可能な材料で成形されるものでもよく、孔部又は溝部を有する構成でも、有しない構成でもよく、液受け部１２ｋは、図示したものに限定されず、種々の形状、大きさ、材質で形成される。
【００４７】
（第８の実施の形態）
この実施の形態の薬液塗布用具は、図１２及び図１３に示すように、中棒部材１２が多孔質材料、繊維束など薬液が浸み込むことが可能な材料で成形され、弁部１５が固着されている。図１２の実施の形態では、中棒部材１２が棒状であり、図１３の実施の形態では、中棒部材１２に溝部１２ｄが形成されている。この実施の形態では、中棒部材１２が、薬液が浸み込むことが可能な材料で成形されており、薬液を中棒部材１２に浸み込ませて毛髪、頭皮に円滑に塗布することができる。
【００４８】
（第９の実施の形態）
この実施の形態の薬液塗布用具は、図１４に示すように、中棒部材１２に孔部１２ｉが形成され、孔部１２ｉには、ブラシ１６が配置されている。中棒部材１２の先端部には、一対のガイド１２ｍがブラシ先端を挟む位置に形成されている。一対のガイド１２ｍは、ブラシ先端より突出している。
【００４９】
この実施の形態では、図１４（ａ）に示すように、キャップ３０が閉じており、薬液が漏れることはない。使用するために、図１４（ｂ）に示すように、バネ１３ａが伸びて弁部１２ａが内側通路１１ａを閉じ、薬液は吐出しない。そして、図１４（ｃ）に示すように、薬液塗布用具１の塗布部１０を下方に向けて一対のガイド１２ｍを頭部に押し付けて押すことで、バネ１３ａが縮み中棒部材１２は押し上げにより移動し、弁部１２ａが内側通路１１ａを開き薬液が流入し、液流入側開口１２ｉ１の一部から薬液が孔部１２ｉに流れ込み、ブラシ先端から流れ出て塗布する。
【００５０】
さらに、図１４（ｄ）に示すように、使用者が一対のガイド１２ｍを頭皮に押し当て、中棒部材１２を押し上げ、負荷バネ１３ｂが縮み中棒部材１２の押し上げ力に対して段階的に負荷がかかる。この段階的に負荷がかかる状態で液流入側開口１２ｉ１の全部が開口して薬液が孔部１２ｉに流れ込み、ブラシ先端から流れ出て塗布し、薬液の吐出量を増加させることができる。
【００５１】
（第１０の実施の形態）
この実施の形態の薬液塗布用具は、第９の実施の形態と同様に構成されるが、図１５に示すように、孔部１２ｉには、ブラシに代えて繊維、フェルト、スポンジ、多孔質など薬液が浸み込むことが可能な材料で成形される棒部材１７を配置している。
【００５２】
（第１１の実施の形態）
この実施の形態の薬液塗布用具は、第９の実施の形態と同様に構成されるが、図１６に示すように、中棒部材１２に孔部１２ｉが形成され、この孔部１２ｉに一対の液流入側開口１２ｉ３から薬液が流入する。
【００５３】
この実施の形態では、図１６（ａ）に示すように、キャップ３０を閉じると、塗布部１０から薬液は吐出しない。使用するために、図１６（ｂ）に示すように、キャップ３０を開くと、バネ１３ａが伸びて弁部１２ａが内側通路１１ａを閉じ、薬液は吐出しない。そして、図１６（ｃ）に示すように、薬液塗布用具１の塗布部１０を下方に向けて一対のガイド１２ｍを頭部に押し付けて押すことで、バネ１３ａが縮み中棒部材１２は押し上げにより移動して弁部１２ａが内側通路１１ａを開き、薬液が流下し、液流入側開口１２ｉ３の一部から薬液が孔部１２ｉに流れ込み、ブラシ先端から流れ出て塗布する。
【００５４】
図１６（ｄ）に示すように、使用者がさらに一対のガイド１２ｍを頭皮に押し当て、中棒部材１２を押し上げ、負荷バネ１３ｂが縮み中棒部材１２の押し上げ力に対して段階的に負荷がかかる。この段階的に負荷がかかる状態で液流入側開口１２ｉ３の全部から薬液が孔部１２ｉに流れ込み、ブラシ先端から流れ出て塗布し、薬液の吐出量を増加させることができる。
【００５５】
（第１２の実施の形態）
この実施の形態の薬液塗布用具は、第１１の実施の形態と同様に構成されるが、図１７に示すように、孔部１２ｉには、ブラシに代えて繊維、フェルト、スポンジ、多孔質など薬液が浸み込むことが可能な材料で成形される棒部材１７を配置している。
【００５６】
（第１３の実施の形態）
この実施の形態の薬液塗布用具は、図１８に示すように、中棒部材１２に、第１の液流入側開口１２ｉ５と、第２の液流入側開口１２ｉ６が軸方向に位置を変えて形成されている。中棒部材１２の押し上げ、この押し上げ位置に応じて薬液が第１の液流入側開口１２ｉ５と、第２の液流入側開口１２ｉ６から孔部１２ｉに流入することができるようになっている。
【００５７】
この実施の形態では、図１８（ａ）に示すように、キャップ３０を閉じると、塗布部１０から薬液は吐出しない。使用するために、図１８（ｂ）に示すように、キャップ３０を開くと、バネ１３ａが伸びて弁部１２ａがシールし、薬液は吐出しない。そして、図１８（ｃ）に示すように、薬液塗布用具１の塗布部１０を下方に向けて一対のガイド１２ｍを頭部に押し付けて押すことで、バネ１３ａが縮み中棒部材１２は押し上げにより移動し、薬液が第２の液流入側開口１２ｉ６から孔部１２ｉに流入し、ブラシ先端から流れ出て定量塗布することができる。
【００５８】
さらに、図１８（ｄ）に示すように、使用者が一対のガイド１２ｍを頭皮に押し当て、中棒部材１２を押し上げると、負荷バネ１３ｂが縮み中棒部材１２の押し上げ力に対して段階的に負荷がかかる。この段階的に負荷がかかる状態で薬液が第１の液流入側開口１２ｉ５からも孔部１２ｉに流れ込み、ブラシ先端から流れ出る薬液の吐出量を増加させることができる。
【００５９】
この実施の形態では、中棒部材１２を図１９に示すように構成することができる。図１９（ａ）の実施の形態は、中棒先端部１２ｃにガイド１２ｍがブラシ先端の一方側の位置に形成され、図１９（ｂ）の実施の形態は、孔部１２ｉにブラシに代えて多孔質材料、繊維束など薬液が浸み込むことが可能な材料の棒部材１７が配置され、図１９（ｃ）の実施の形態は、多孔質材料、繊維束など薬液が浸み込むことが可能な材料の棒部材１７を中棒先端部１２ｃの先端から突出させ、図１９（ｄ）の実施の形態は、孔部１２ｉの内部にブラシなどを配置しない構成であり、図１９（ｅ）の実施の形態は、中棒先端部１２ｃにスリット１２ｃ１を形成し、図１９（ｆ）の実施の形態は、中棒先端部１２ｃに液受け部１２ｋを設けた構成である。
【００６０】
（第１４の実施の形態）
この実施の形態の薬液塗布用具は、第１３の実施の形態と同様に構成されるが、図２０に示すように、内側通路１１ａに対して下流の位置に多孔質材料、繊維束など薬液が浸み込むことが可能な材料で形成した邪魔部材１９が配置されている。
【００６１】
この実施の形態では、図２０（ａ）に示すように、キャップ３０を閉じると、塗布部１０から薬液は吐出しない。使用するために、図２０（ｂ）に示すように、キャップ３０を開くと、バネ１３ａが伸びて弁部１２ａがシールし、薬液は吐出しない。そして、図２０（ｃ）に示すように、薬液塗布用具１の塗布部１０を下方に向けて一対のガイド１２ｍを頭部に押し付けて押すことで、バネ１３ａが縮み中棒部材１２は押し上げにより移動し、薬液が第２の液流入側開口１２ｉ６から孔部１２ｉに流入し、ブラシ先端から流れ出て定量塗布することができる。このとき、邪魔部材１９は、薬液が吐出側通路１１ｂから勢いよく流下することを防止する。
【００６２】
さらに、図２０（ｄ）に示すように、使用者が中棒先端部１２ｃを頭皮に押し当て、中棒部材１２を押し上げると、負荷バネ１３ｂが縮み中棒部材１２の押し上げ力に対して段階的に負荷がかかる。この段階的に負荷がかかる状態で薬液が第２の液流入側開口１２ｉ６からも孔部１２ｉに流れ込み、ブラシ先端から流れ出る薬液の吐出量を増加させることができる。
【００６３】
（第１５の実施の形態）
この実施の形態の薬液塗布用具は、第１の実施の形態と同様に構成されるが、図２１に示すように、塗布部１０の塗布部先端部１０ｃには、中棒部材１２の移動量を調整する調整部材１４が設けられている。中棒部材１２は、樹脂で成形された棒状であり、中棒部材１２には溝部１２ｄが形成されているが、孔部を形成したものでもよく、溝部や孔部を設けないものでもよい。調整部材１４は、中棒部材１２の突出する中棒先端部１２ｃの近傍に位置し、中棒先端部１２ｃと同じ方向に向かって突出しているが、図２１（ａ），（ｂ）の実施の形態は、１箇所に設けられ、図２１（ｃ），（ｄ）の実施の形態は、中棒先端部１２ｃを挟み、中棒先端部１２ａの両側に設けられているが、３箇所以上に設けてもよい。また、図２１（ａ），（ｃ）の実施の形態は、中棒先端部１２ａより低い高さであり、図２１（ｂ），（ｄ）の実施の形態は、中棒先端部１２ａは同じ高さである。
【００６４】
この実施の形態では、図２１（ｅ）に示すように、調整部材１４の先端部が毛の間に入り込み頭皮に当たっているが、中棒部材１２の中棒先端部１２ｃには押される前から薬液が含まれているから頭部の毛に触れることで、中棒先端部１２ｃの厚さ薬液が頭部の毛に塗布される、いわゆる少量塗布が可能である。また、図２１（ｆ）に示すように、中棒部材１２の中棒先端部１２ｃが頭部の毛によって押されることによって、薬液が吐出されて同時に塗布される、いわゆる多量塗布が可能である。また、この実施の形態で、調整部材１４が中棒部材１２の中棒先端部１２ｃより高く形成されている場合には、キャップを外した状態で倒れても中棒先端部１２ｃが押されることがないため薬液がこぼれることはない。
【００６５】
（第１６の実施の形態）
この実施の形態は、第１５の実施の形態と同様に構成されるが、図２２に示すように、中棒部材１２は、樹脂で成形されたパイプ状で孔部を有し、この孔部にブラシ１６を配置したものである。
【００６６】
（第１７の実施の形態）
この実施の形態は、第１５の実施の形態と同様に構成されるが、図２３に示すように、中棒部材１２は、多孔質、スポンジ、繊維束など薬液が浸み込むことが可能な材料で成形されており、棒状であるが、溝部を設けてもよい。
【００６７】
（第１８の実施の形態）
この実施の形態は、図２４に示すように、塗布部１０が合成樹脂で一体に形成され、表面張力により保持される薬液を吐出させる蛇腹部７１を有する。中棒部材１２の中棒先端部１２ｃを頭部に押し付けて薬液を定量吐出させて塗布し、さらに押し上げることで蛇腹部７１を縮ませると、縮みの程度によって薬液を吐出させることができる。このようにして、中棒部材１２の押し上げによる薬液の少量塗布と、蛇腹部７１の縮みによる薬液の多量塗布ができる。
【００６８】
図２４（ａ）の実施の形態は、塗布部１０が３個並べて形成され、この塗布部１０を連結する根元部に蛇腹部７１を設け、３個の塗布部１０が同時に縮むことが可能になっている。図２４（ｂ）の実施の形態は、塗布部１０が３個並べて形成され、この塗布部１０の根元部に蛇腹部７１を設け、３個の塗布部１０がそれぞれ別々に縮むことが可能になっている。この実施の形態でも、図２４（ｃ）に示すように、中棒部材１２に孔部１２ｉを設けてもよく、図２４（ｄ）に示すように、溝部１２ｄを設けてもよく、また液受け部を設けてもよい。また、中棒部材１２は、薬液が浸み込むことが可能な材料で成形し、溝部や液受け部を設けてもよいことは同様である。
【００６９】
（第１９の実施の形態）
この実施の形態は、図２５に示すように、塗布部１０が第１の実施の形態と同様に構成される。ヘアートニック、ヘアーリキッド、化粧水などの薬液を収納した薬液容器２００は、栓２０１の孔から薬液を定量吐出させて塗布するようになっているが、この栓２０１を取り外し、塗布部１０を取り付けて使用する。
【産業上の利用可能性】
【００７０】
この発明は、育毛剤や整髪料、洗浄剤、化粧剤、美容剤等の薬液を貯留する薬液貯蔵部を有し、これらの薬液を毛髪や頭、顔の皮膚の必要とする場所へ塗布することのできる薬液塗布用具に適用でき、薬液を毛髪や頭、顔の皮膚の必要とする場所へ適量塗布することができる。
【符号の説明】
【００７１】
１  薬液塗布用具
１０  塗布部
１０ａ  内壁
１０ｂ  先端部
１１  吐出通路
１１ａ  内側通路
１１ｂ  吐出側通路
１２  中棒部材
１２ａ  弁部
１２ｂ  鍔部
１２ｃ  中棒先端部
１２ｄ  溝部
１２ｅ  弁部
１２ｆ  孔部
１２ｇ  ガイド軸部
１２ｈ  切り欠き部
１２ｉ  孔部
１２ｉ１  液流入側開口
１２ｉ３  液流入側開口
１２ｉ５  第１の液流入側開口
１２ｉ６  第２の液流入側開口
１２ｋ  液受け部
１３  付勢手段
１３ａ  バネ
１３ｂ  負荷バネ
１４  調整部材
１５  中棒ガイド
１５ａ  支持孔
１５ｂ  連通孔
１６  ブラシ
１７  棒部材
１８  パッキン
１９  邪魔部材
２０  薬液貯蔵部
３０  キャップ
７１  蛇腹部
２００  薬液容器
２０１  栓
【図１】
2015015971.tif 000003
【図２】
2015015971.tif 000004
【図３】
2015015971.tif 000005
【図４】
2015015971.tif 000006
【図５】
2015015971.tif 000007
【図６】
2015015971.tif 000008
【図７】
2015015971.tif 000009
【図８】
2015015971.tif 000010
【図９】
2015015971.tif 000011
【図１０】
2015015971.tif 000012
【図１１】
2015015971.tif 000013
【図１２】
2015015971.tif 000014
【図１３】
2015015971.tif 000015
【図１４】
2015015971.tif 000016
【図１５】
2015015971.tif 000017
【図１６】
2015015971.tif 000018
【図１７】
2015015971.tif 000019
【図１８】
2015015971.tif 000020
【図１９】
2015015971.tif 000021
【図２０】
2015015971.tif 000022
【図２１】
2015015971.tif 000023
【図２２】
2015015971.tif 000024
【図２３】
2015015971.tif 000025
【図２４】
2015015971.tif 000026
【図２５】
2015015971.tif 000027
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
薬液を毛髪や頭皮に塗布する塗布部と、
前記塗布部に供給する薬液を貯留する薬液貯蔵部を有する薬液塗布用具であり、
前記塗布部は、
前記薬液貯蔵部に連通し薬液を吐出させる吐出通路と、
押し上げにより移動して前記吐出通路を開き薬液を吐出させる導き機能を有する中棒部材と、
前記中棒部材を前記吐出通路を閉じ方向に付勢し、押し上げ力に対して負荷を与える付勢手段と、を有し、
前記中棒部材は、
薬液が浸み込むことが可能な材料で成形され、
押し上げにより移動して前記吐出通路を開き薬液を吐出させ、
押し上げによる前記中棒部材の移動に応じて薬液の吐出量を変化させ、
前記中棒部材に浸み込んだ薬液を前記中棒部材により塗布可能であることを特徴とする薬液塗布用具。
【請求項２】
薬液を毛髪や頭皮に塗布する塗布部と、
前記塗布部に供給する薬液を貯留する薬液貯蔵部を有する薬液塗布用具であり、
前記塗布部は、
前記薬液貯蔵部に連通し薬液を吐出させる吐出通路と、
押し上げにより移動して前記吐出通路を開き薬液を吐出させる導き機能を有する中棒部材と、
前記中棒部材を前記吐出通路を閉じ方向に付勢し、押し上げ力に対して負荷を与える付勢手段と、を有し、
前記中棒部材は、
ブラシ、または薬液が浸み込むことが可能な材料で形成された部材からなる塗布部材を備え、
押し上げにより移動して前記吐出通路を開き薬液を吐出させ、
押し上げによる前記中棒部材の移動に応じて薬液の吐出量を変化させ、
前記塗布部材により塗布可能であることを特徴とする薬液塗布用具。
【請求項３】
押し上げによる前記中棒部材の移動量の増加に応じて薬液の吐出量を増加させることを特徴とする請求項１または請求項２に記載の薬液塗布用具。
【請求項４】
前記付勢手段は、前記中棒部材の押し上げ力に対して段階的に負荷を与えることを特徴とする請求項１または請求項２に記載の薬液塗布用具。
【請求項５】
前記中棒部材は、
前記吐出通路と連通して薬液を吐出させる孔部又は溝部を有することを特徴とする請求項１または請求項２に記載の薬液塗布用具。
【請求項６】
前記中棒部材は、
中棒先端部に、吐出する薬液を一旦受ける液受け部を有することを特徴とする請求項１または請求項２に記載の薬液塗布用具。
【請求項７】
前記塗布部は、
前記中棒部材の押し上げの移動量を調整する調整部材を有することを特徴とする請求項１乃至請求項６のいずれか１項に記載の薬液塗布用具。
【手続補正２】
【補正対象書類名】明細書
【補正対象項目名】０００９
【補正方法】変更
【補正の内容】
【０００９】
請求項１に記載の発明は、薬液を毛髪や頭皮に塗布する塗布部と、
前記塗布部に供給する薬液を貯留する薬液貯蔵部を有する薬液塗布用具であり、
前記塗布部は、
前記薬液貯蔵部に連通し薬液を吐出させる吐出通路と、
押し上げにより移動して前記吐出通路を開き薬液を吐出させる導き機能を有する中棒部材と、
前記中棒部材を前記吐出通路を閉じ方向に付勢し、押し上げ力に対して負荷を与える付勢手段と、を有し、
前記中棒部材は、
薬液が浸み込むことが可能な材料で成形され、
押し上げにより移動して前記吐出通路を開き薬液を吐出させ、
押し上げによる前記中棒部材の移動に応じて薬液の吐出量を変化させ、
前記中棒部材に浸み込んだ薬液を前記中棒部材により塗布可能であることを特徴とする薬液塗布用具である。
請求項２に記載の発明は、薬液を毛髪や頭皮に塗布する塗布部と、
前記塗布部に供給する薬液を貯留する薬液貯蔵部を有する薬液塗布用具であり、
前記塗布部は、
前記薬液貯蔵部に連通し薬液を吐出させる吐出通路と、
押し上げにより移動して前記吐出通路を開き薬液を吐出させる導き機能を有する中棒部材と、
前記中棒部材を前記吐出通路を閉じ方向に付勢し、押し上げ力に対して負荷を与える付勢手段と、を有し、
前記中棒部材は、
ブラシ、または薬液が浸み込むことが可能な材料で形成された部材からなる塗布部材を備え、
押し上げにより移動して前記吐出通路を開き薬液を吐出させ、
押し上げによる前記中棒部材の移動に応じて薬液の吐出量を変化させ、
前記塗布部材により塗布可能であることを特徴とする薬液塗布用具である。
【手続補正３】
【補正対象書類名】明細書
【補正対象項目名】００１０
【補正方法】変更
【補正の内容】
【００１０】
請求項３に記載の発明は、押し上げによる前記中棒部材の移動量の増加に応じて薬液の吐出量を増加させることを特徴とする請求項１または請求項２に記載の薬液塗布用具である。
【手続補正４】
【補正対象書類名】明細書
【補正対象項目名】００１１
【補正方法】変更
【補正の内容】
【００１１】
請求項４に記載の発明は、前記付勢手段は、前記中棒部材の押し上げ力に対して段階的に負荷を与えることを特徴とする請求項１または請求項２に記載の薬液塗布用具である。
【手続補正５】
【補正対象書類名】明細書
【補正対象項目名】００１２
【補正方法】変更
【補正の内容】
【００１２】
請求項５に記載の発明は、前記中棒部材は、
前記吐出通路と連通して薬液を吐出させる孔部又は溝部を有することを特徴とする請求項１または請求項２に記載の薬液塗布用具である。
【手続補正６】
【補正対象書類名】明細書
【補正対象項目名】００１３
【補正方法】変更
【補正の内容】
【００１３】
請求項６に記載の発明は、前記中棒部材は、
中棒先端部に、吐出する薬液を一旦受ける液受け部を有することを特徴とする請求項１または請求項２に記載の薬液塗布用具である。
【手続補正７】
【補正対象書類名】明細書
【補正対象項目名】００１４
【補正方法】削除
【補正の内容】
【手続補正８】
【補正対象書類名】明細書
【補正対象項目名】００１７
【補正方法】変更
【補正の内容】
【００１７】
請求項１に記載の発明では、中棒部材は、薬液が浸み込むことが可能な材料で成形され、押し上げにより移動して吐出通路を開き薬液を吐出させ、押し上げによる中棒部材の移動に応じて薬液の吐出量を変化させ、中棒部材により浸み込んだ薬液を塗布可能であることで、毛髪や頭、顔の皮膚の必要とする場所へ薬液を適量塗布することができる。
請求項２に記載の発明では、中棒部材は、ブラシ、または薬液が浸み込むことが可能な材料で形成された部材からなる塗布部材を備え、押し上げにより移動して吐出通路を開き薬液を吐出させ、押し上げによる中棒部材の移動に応じて薬液の吐出量を変化させ、塗布部材により浸み込んだ薬液を塗布可能であることで、毛髪や頭、顔の皮膚の必要とする場所へ薬液を適量塗布することができる。
【手続補正９】
【補正対象書類名】明細書
【補正対象項目名】００１８
【補正方法】変更
【補正の内容】
【００１８】
請求項３に記載の発明では、押し上げによる中棒部材の移動量の増加に応じて薬液の吐出量を増加させることで、毛髪や頭、顔の皮膚の必要とする場所へ薬液を適量塗布することができる。
【手続補正１０】
【補正対象書類名】明細書
【補正対象項目名】００１９
【補正方法】変更
【補正の内容】
【００１９】
請求項４に記載の発明では、付勢手段は、中棒部材の押し上げ力に対して段階的に負荷を与えることで、頭皮に押し当てる力によって薬液の吐出量を知り、薬液を適量塗布することができる。
【手続補正１１】
【補正対象書類名】明細書
【補正対象項目名】００２０
【補正方法】変更
【補正の内容】
【００２０】
請求項５に記載の発明では、中棒部材の孔部又は溝部により、薬液を吐出させことで、簡単な構造で薬液を円滑に流れるようにして吐出させることができる。
【手続補正１２】
【補正対象書類名】明細書
【補正対象項目名】００２１
【補正方法】変更
【補正の内容】
【００２１】
請求項６に記載の発明では、中棒先端部の液受け部に吐出する薬液を一旦受け、受け皿によって薬液を一旦溜めて必要とする箇所に塗布することができる。
【手続補正１３】
【補正対象書類名】明細書
【補正対象項目名】００２２
【補正方法】削除
【補正の内容】